(57)【要約】【課題】低損失で、受光素子への結合効率を向上する光モニターを提供する。【解決手段】光を入出射する２本の光ファイバと、光の一部は透過するがほとんどの光が反射する一部透過型反射ミラーと、前記一部透過型反射ミラーからの透過光を受光する受光素子を備える光モニターであり、前記光ファイバとして先端を球面化した先球光ファイバを用いた光モニターを用いる。前記先球光ファイバは、その光軸方向同士の為す角度が３０°以下であることを特徴とする。さらに、前記受光素子を２個用いることで、それぞれの光ファイバにおける光の入出射の方向がモニターできる。【選択図】　　　　図１
2004062144.tif 000002
【特許請求の範囲】
【請求項１】
一対のポートを備える光モニターであって、
一方のポートから入射させた入射光を他方のポートに出射させるための一部透過型反射ミラーと、前記一部透過型反射ミラーを透過した透過光を受けるための受光素子を有し、
前記受光素子は、１つ以上の受光部を備え、
前記受光部に入射する光ビームの径は１５０μｍ以下であることを特徴とする光モニター。
【請求項２】
一対の光ファイバを備える光モニターであって、
一方の光ファイバから入射させた入射光を反射して他方の光ファイバに出射させる一部透過型反射ミラーと、前記一部透過型反射ミラーを透過した透過光を受けるための受光素子を有し、
前記透過光が前記受光素子に対して１５０μｍ以下の径の光ビームとして照射されるように、前記光ファイバにコリメータを組合わせて配置することを特徴とする光モニター。
【請求項３】
光を入出射する一対の光ファイバと、一方の光ファイバから入射された光を他方の光ファイバーに出射するための一部透過型反射ミラーと、前記一部透過型反射ミラーを透過した透過光を受光する受光素子を備え、
前記光ファイバの端には、先端を球面化した先球光ファイバが設けられていることを特徴とする光モニター。
【請求項４】
前記一対の光ファイバは、その光軸方向同士の為す角度が２°以上且つ３０°以下であることを特徴とする請求項２又は３に記載の光モニター。
【請求項５】
前記受光素子は複数個設けられており、光モニター内における光の入出射の方向を検知できることを特徴とする請求項１乃至３のいずれかに記載の光モニター。
【請求項６】
前記一部透過型反射ミラーと前記受光素子との距離は０．１ｍｍ以上且つ５．６ｍｍ以下であることを特徴とする請求項１乃至３のいずれかに記載の光モニター。
【請求項７】
前記受光素子はアレイ化された複数の受光部を有し、前記複数の受光部から選ばれた２個の受光部を用いることを特徴とする請求項１乃至３のいずれかに記載の光モニター。
【請求項８】
請求項１乃至７のいずれかに記載の光モニターを２個以上を組み合わせたことを特徴とする光モニターアレイ。
【請求項９】
請求項１乃至７のいずれかに記載の光モニターを光伝送用の光ファイバに接続し、前記光ファイバーで光信号を双方向に伝播させる双方向通信を行うことを特徴とする光モニターを用いた光システム。
【請求項１０】
請求項１乃至７のいずれかに記載の光モニターと、光部品を備え、
前記光部品の入射光若しくは出射光を前記光モニターに通すことにより、光部品における光の光量若しくは向きの少なくとも１つを検知することを特徴とする光モニターを用いた光システム。
【発明の詳細な説明】
【０００１】
【発明の属する技術分野】
本発明は、光通信システムや光パワー伝送システムにおいて、光信号若しくは光パワーの監視に用いられる光モニターに関する。
【０００２】
【従来の技術】
光通信システムや光パワー伝送システムにおいて、それらシステムの動作状況を監視する必要がある。このような用途において、図６に示すように入射光１０１を光ファイバカップラー等の光合分波器２０１により、出射光１０２と１０３に分離し、出射光１０３は光ファイバを介して独立した受光素子２０２によって受光され、光パワーをモニターしている。図６では、入射側および出射側の光ファイバを曲線で表示し、それらを伝播する入射光１０１や出射光１０２等の向きを矢印で表示した。また、図７に示すように、第一、第二の屈折率分布型のＧＲＩＮレンズ２０３ａ、２０３ｂに所望の透過率を有する一部透過反射膜２０４を挟み込み、ＧＲＩＮレンズ２０３ａには光の入出射を行う２本の光ファイバ（入射光１０１を通す光ファイバ、出射光１０２を通す光ファイバ）を設け、ＧＲＩＮレンズ２０３ｂには受光素子２０２を接続させ、一体化した光モニターが示されている（例えば、特許文献１）。さらに、図８に示すように、入射光１０１と出射光１０２に対応したの２本の光ファイバをフェルール２０５の中心孔に軸対称になるように固定し、ＧＲＩＮレンズ２０３の端に一部透過反射ミラー２０４ｂを設け、透過光１０３を受光素子２０２によりモニターする事が示されている（特許文献２）。
【０００３】
【特許文献１】
特開昭６２−２６９９０９号公報（第２頁、第１図）
【特許文献２】
特開２０００−３３８３５９号公報（第３頁、図１）
【０００４】
【発明が解決しようとする課題】
屈折率分布型のＧＲＩＮレンズを用いた場合、図７ではレンズからの出射光１０３は入力する光ファイバと同じビーム拡がり角の特性を持つために、受光素子２０２の受光面における距離に対してビームスポットが変化して、受光効率が低下する事がある。また、図８では、２本の光ファイバ１０１，１０２間の距離が光ファイバ径に相当する。上側の光ファイバにおいて入射光を通す場合と、光の向きを逆にした場合とを検討すると、それぞれの光ファイバから受光素子２０２に入射される光（光のスポット）はほぼ重なっており、どちらの光ファイバから照射された光であるかを判別することができない。そのため光の伝搬方向を判別できないという問題点がある。
【０００５】
そこで、本発明の目的は、光モニターの受光素子への結合効率を向上させて、高効率の光モニターを実現することにある。更には、光ファイバにおける光の伝搬方向を判別することにある。
【０００６】
【課題を解決するための手段】
［１］　本発明の光モニターは、一対のポートを備える光モニターであって、一方のポートから入射させた入射光を他方のポートに出射させるための一部透過型反射ミラーと、前記一部透過型反射ミラーを透過した透過光を受けるための受光素子とを有し、前記受光素子は１つ以上の受光部を備え、前記受光部に入射する光ビームの径は１５０μｍ以下であることを特徴とする。
【０００７】
この構成を用いることで、いずれのポートから光が入射されているか（光の向き）を判別することができる。ここで、一部透過型反射ミラーは、例えば、入射光の反射率が９０％以上である反射膜を成膜したガラス基板を用いる。入射光の１０％未満が一部透過型反射ミラーを透過する。受光素子は、例えば、半導体を用いた光検知素子（フォトダイオード等）を用いることができる。
【０００８】
受光部に入射する光ビームの径は、ビームスポットの径に相当する。ビームスポットの径を１５０μｍ以下に絞った構成とすることで、受光部以外の部分に照射される光を低減し、微弱な透過光を効率よく受光素子で検知することができる。また、ビームスポットを絞ることで、ある受光部に照射された透過光が隣接する受光部で検知されることにより測定精度が低下するという問題が発生し難くなり、光量と向きを測定する際の精度を高めることができる。また、ビームスポットを１５０μｍ以下にすることで、一部透過型反射ミラーと受光素子間の距離を小さくし、光モニターの小型化にも寄与する。より望ましくは前記受光部に入射する光ビームの径は１００μｍ以下とする。受光部が１つの場合、一方のポートから入射する光の有無をもって、いずれのポートから光が入射されているかを判別する。受光部を複数個備える受光素子を用いると、いずれのポートから光が入射されたかを正確に判別できるとともに光量を検知することもできる。光ビームの径を絞っているため、光の強度についてより精密に判別することができる。したがって、前記受光部は望ましくは複数個とする。なお、光ビームのスポット形状が円形でない場合には、スポット形状の最大径を光ビームの径として表わす。ビームを１５０μｍ以下にするために、高精度のコリメータを用いることが望ましい。
【０００９】
受光素子に照射される光ビームの径が絞られていない場合、例えば、光ファイバの端面から直接出射された光は発散するため、一部透過型反射ミラーを通して受光素子に到達できる光量は少ない。受光部でとらえる光量が減る分、光量の測定精度も低下する。特に、複数の受光部を設けている場合、発散した光は複数の受光部の各々でも検知されるため、入射した光の向きの判別精度も十分でなくなり、光の伝送方向を誤認する原因となる。
【００１０】
［２］　本発明の他の光モニターは、一対の光ファイバを備える光モニターであって、
一方の光ファイバから入射させた入射光を反射して他方の光ファイバに出射させる一部透過型反射ミラーと、前記一部透過型反射ミラーを透過した透過光を受けるための受光素子とを有し、
前記透過光が前記受光素子に対して１５０μｍ以下の径の光ビームとして照射されるように、前記光ファイバにコリメータを組合わせて配置することを特徴とする。
【００１１】
［３］　本発明の他の光モニターは、光を入出射する一対の光ファイバと、一方の光ファイバから入射された光を他方の光ファイバーに出射するための一部透過型反射ミラーと、前記一部透過型反射ミラーを透過した透過光を受光する受光素子とを備え、
前記光ファイバの端には、先端を球面化した先球光ファイバが設けられていることを特徴とする。
【００１２】
先球光ファイバは、光の拡散を抑制し、光路上で対向する先球光ファイバに対して、平行光線もしくは光スポットを絞った光線を伝播する。これら、先球光ファイバと一部透過型反射ミラーを用いることで、低損失で高効率の光結合と、光の検知（モニタリング）を行なうことができる。コリメータとして球レンズなどを用いることも可能であるが、低損失の結合を得るにはコリメータとして先球光ファイバを用いることが望ましい。特に光モニターを小型化するためには先球光ファイバを用いる。
【００１３】
［４］　前記［２］又は［３］に記載の光モニターにおいて、前記一対の光ファイバは、その光軸方向同士の為す角度が２°以上且つ３０°以下であることを特徴とする。本発明の構成では、反射ミラーおよび受光素子に入射する角度を１°〜１５°の範囲内にすることが望ましい。すなわち、反射ミラー面の法線に対して入射光が１°〜１５°の傾きを有するように配置する。反射ミラーへの入射角度が１５°より大きいと、斜め入射による偏光依存性の影響で正確な光パワーのモニターが難しくなる。一方、入射角度を１°より小さくしようとすると、コリメータあるいは先球光ファイバが空間的に干渉してしまう。また、ここで規定した角度の範囲内であれば、光モニター全体を小型化することができる。例えば、角度θが９０°であると、光ファイバの取り回しに広さを必要とするため、光モニター全体を小さくすることが難しい。
【００１４】
［５］　前記［１］乃至［３］のいずれかに記載の光モニターにおいて、前記受光素子は複数個設けられており、光モニター内における光の入出射の方向を検知できる。
例えば、受光素子を２個用い、一方の受光素子を一方の先球光ファイバからの透過光に対応させ、他方の受光素子を他方の先球光ファイバからの透過光に対応させて、先球光ファイバと受光素子の組合わせているため、いずれの受光素子が光を検知したかによって、光が入射している側の先球光ファイバを特定することができ、光の入射方向を判別可能である。ただし、一方の受光素子が透過光をモニターしているときに、他方の受光素子でも漏洩光を受光しないようにするために、透過光のビーム径を１５０μｍ以下とする。
【００１５】
［６］　前記［１］乃至［３］のいずれかに記載の光モニターにおいて、前記一部透過型反射ミラーと前記受光素子との距離は０．１ｍｍ以上且つ５．６ｍｍ以下であることを特徴とする。本発明の構成では、高精度の先球光ファイバを用いるか或いは一部透過型反射ミラーを透過した光の照射ビーム径が１５０μｍ以下となるようにコリメートすることにより、一部透過型反射ミラーと受光素子の間隔を小さくし、光モニターの小型化に寄与することができる。ただし、距離を小さくしすぎると、角度θが大きくなるので、一部透過型反射ミラーと受光素子との間隔の下限を０．１ｍｍとすることが望ましい。
【００１６】
［７］　前記［１］乃至［３］のいずれかに記載の光モニターにおいて、前記受光素子はアレイ化された複数の受光部を有し、前記複数の受光部から選ばれた２個の受光部を用いることを特徴とする。すなわち、前記複数の受光部において、一方の光ファイバからの透過光を検知する受光部と他方の光ファイバの透過光を検知する受光部が異なる。透過光をコリメートしてビーム径１５０μｍ以下として受光部に照射することにより、隣の受光部に他の受光部に照射する透過光が漏洩することは無くなり、光の強度と向きを高精度に検知することができる。
アレイ化とは、例えば、複数の半導体受光素子を一つの基板上に一括して形成・配列させたものを指す。多数の受光素子基板（チップ）を一つの枠体内に組立てたり、異なる受光素子を配列させて構成することもできるが、フォトリソグラフィーなどの薄膜プロセスで一括形成する方が、工程を短くし、コストを低減することができ、受光素子同士の間隔を正確に作製できるという点でも優れている。
【００１７】
［８］　本発明の光モニターアレイは、前記［１］乃至［７］のいずれかに記載の光モニターを２個以上を組み合わせたことを特徴とする。
本発明の光モニターは低損失で、光の結合効率が高いため、多数個を使用しても、光の強度を検知することによる損失が問題にはならないという点で優れている。また、複数の光モニターをお互いの長手方向がぼぼ平行になるように並列配置してパッケージに収めることで複数組の入出力を有する光モニターとしてもよい。また、前記並列配置については、隣合う光モニターの向きが同じ向きとなるように並列させてもよいし、交互に逆向きとなるように並列させることもできる。
【００１８】
［９］　本発明の光モニターを用いた光システムは、前記［１］乃至［７］のいずれかに記載の光モニターを光伝送用の光ファイバに接続し、前記光ファイバーで光信号を双方向に伝播させる双方向通信を行うことを特徴とする。
例えば、光伝送用の光ファイバにおいて、一方の向きには所定の波長の光信号を伝送し、逆向きには異なる波長の光信号を伝送することにより、１本の光ファイバで双方向通信を行うような場合、本発明の光モニターを用いると、光の向きを検知できるため、各々の光信号を判別してその光量（信号の強さ）を検知することが可能になる。
【００１９】
［１０］　本発明の光モニターを用いた光システムは、前記［１］乃至［７］のいずれかに記載の光モニターと、光部品を備え、
前記光部品の入射光若しくは出射光を前記光モニターに通すことにより、光部品における光の光量若しくは向きの少なくとも１つを検知することを特徴とする。
前記光部品は、例えば光信号処理機器や光路切替装置を含むものである。光信号処理機器としては、光アンプ（増幅器）、光アッテネーター（減衰器）、光ゲインイコライザー（増幅・減衰機器）、光分波器、光合波器等が挙げられる。光路切替装置としては、光スイッチ（ファイバ駆動式、ミラー駆動式若しくはプリズム駆動式のスイッチ）、ＭＥＭＳ（Ｍｉｃｒｏ　ＥｌｅｃｔｒｏＭｅｃｈａｎｉｃａｌ　Ｓｙｓｔｅｍ）スイッチ、導波路型光スイッチやサーモ光スイッチ（加熱等により光路を切替えるタイプ）等のタイプが挙げられる。発明に係る光モニターは光損失を低く抑制されているため、低損失で光部品に接続することができる。例えば、光路切替装置に接続すれば、その切替機能が動作しているか否かを検知することができる。
【００２０】
本発明に係る光モニターにおいて、一部透過型反射ミラーは、光の透過率が９０％以上であることが好ましい。これは光伝送用の光ファイバに光モニターを接続したときに、光損失を抑制するためである。さらに、前記透過率を９５％以上、より好ましくは９９％以上とすることにより、光損失を回復するための増幅などを行なわないで済む。ここで、光透過率が９０％以上とは、波長λが１μｍ以上且つ１．７μｍ以下の範囲内の光について、特定の波長の光で測定したときに、その透過率が９０％以上であることに相当する。
【００２１】
本発明では、先球化された光ファイバにより、出射されるビーム径を１５０μｍ以下（望ましくは１００μｍ以下）と小さくして、光モニターの受光素子に入射光の一部（透過光）を効率よく結合する。また、先球光ファイバを２本組み合わせて光の入出射に用いることで小型でかつ分離角を調整しやすい光軸を形成できる。一部透過型ミラーの透過光を２つの受光素子にそれぞれ別々に結合できるために光ファイバにおける光の伝搬方向が正確に判別できる。
【００２２】
また、本発明は、光を入出射する光ファイバと、光の一部は透過するがほとんどの光が反射する一部透過型反射ミラーと、一部透過型反射ミラーからの透過光を受光する光モニター光学系において、光ファイバとして先端を球面化した２本の先球光ファイバを用いた光モニターを構成する。２本の先球光ファイバはその光軸方向に対する、それぞれの中心軸との角度が３０°以下である。また、受光素子を２個用いることでそれぞれの光ファイバにおける光の入出射の方向がモニターできる。この受光素子は２個以上のアレイ化された受光素子の中のうちいずれか２個の受光素子を用いることで光モニターを実現するものである。さらにこれら光モニターを２組以上組み合わせて用いる光モニターアレーである。
【００２３】
【発明の実施の形態】
以下、本発明に係わる実施例を説明する。なお、これら実施例により本発明が限定されるものではない。
【００２４】
（実施例１）
図１は本発明に適用する光モニターの一実施例に係る概略図である。この概略図は一部断面図に相当し、ケース２２内に、光の入射と出射を行なう先球光ファイバ１１及び１２と、受光素子２０２でモニターする為に入射光の一部を透過させる一部透過反射膜２０４を設けた様子を示す。
【００２５】
先球光ファイバ１１、１２は、光が伝搬するコアを有する光ファイバの先端に光ファイバのコア径よりも大きいまたはコアの無い光ファイバを融着接続して、光ファイバの先端を加熱溶融させて球面化したものである。この光モニターは、一部透過反射膜２０４を介して先球光ファイバ１１、１２を対向させることで光の出射および入射を行なうものである。外径１２５μｍ、コア径１０μｍのシングルモード光ファイバに、外径１４５μｍ、コア径１００μｍの光ファイバを融着接続し、その先端部を溶融加熱することで、曲率半径Ｒ＝２００μｍの先球部を形成し、シングルモード光ファイバのコアと先球部表面間の距離Ｔ＝８００μｍの先球光ファイバを作製した。この先球光ファイバはコリメータとして機能する。２本の先球光ファイバ間距離５ｍｍ（即ち、先球光ファイバ間の光路長＝５ｍｍ）で挿入損失０．２ｄＢが得られ、先球部からの反射戻り量は５５ｄＢ以上と低反射であった。先球部には反射防止膜を施している。
【００２６】
入射光１０１は先球光ファイバ１１から出射され、１％の透過率を有する一部透過反射膜２０４により９９％が反射され先球光ファイバ１２に結合され出射光１０２となる。一部透過反射膜２０４を透過した１％の透過光１０３は受光素子２０２によって検知される。すなわち、透過光の強度を検知することで光がモニターされる。本実施例では、先球光ファイバ１１と１２の光軸の為す角度θを１６°としたが、３０°以内であれば偏光依存性を小さくできる。本実施例の光モニターは先球光ファイバ１１と１２の間の距離は５ｍｍと損失が最低となるように合わせてあり、挿入損失０．３ｄＢが得られている。受光素子に照射された透過光のビームスポットを観察したところ直径１００μｍである。また、ケース２２のサイズが幅４ｍｍ、長さ１５ｍｍ、厚さ５ｍｍと小型に実現できた。この光モニターを光通信用の光ファイバの接続点に組み込んで、光ファイバを伝播してきた光量の測定に用いたところ、低損失であるため、光モニターの挿入による影響をほとんど受けずに、ファイバ内長距離光伝播による光強度の低下を測定することができた。
【００２７】
なお、図１の構成で、先球光ファイバの後端には入射光を導くための光ファイバを接続したが、光の軌跡のみを図示し、光ファイバの図示を省略した。同様に、先球光ファイバの後端には、出射光を通すための光ファイバを接続したが、図示を省略した。受光素子２０２は、その周囲を支持する枠体と、配線用の２本の端子を備える。ケース２２の外に突出している前記端子には、受光素子を動作させて光の強度を測定するための配線を接続するが、前記配線の図示は省略した。
以下、同様の部品については同じ符号で説明する。
【００２８】
（実施例２）
本発明の一実施例の光システムとして、分岐数１の１×２の光スイッチ１５０と、実施例１の光モニターを２個組合わせて、低損失で光量検知可能な光路切替装置１８０を構成した。図２の概略図でこの光システムを説明する。光スイッチ１５０はケースの一方の面に１本の入力光ファイバと２本の出力光ファイバを備え、入力された光１００をいずれか一方の出力光ファイバから入射光１０１ａ又は１０１ｂとして出射する構成とした。さらに、各々の出力光ファイバに光モニター１６０ａ，１６０ｂを接続し、光モニターの出射光ファイバーの各々を光路切替装置の出力端として、出射光１０２ａ又は１０２ｂと出力する。光スイッチ１５０を切替える駆動回路１７０に、光量の検知結果をフィードバックする制御回路１７１を組み込むとともに、光モニターの端子は導線を介して前記制御回路１７１に接続した。このようにして、低損失でいずれの光路が選択されているか随時に確認できる光路切替装置を得た。
【００２９】
（実施例３）
図３は本発明に適用する光モニターの他の一実施例に係る概略図である。入射光１０１は先球光ファイバ１１から出射され、１％の透過率を有する一部透過反射膜２０４により９９％が反射され、先球光ファイバ１２に結合され、出射光１０２となる場合、一部透過反射膜２０４を透過した１％の透過光１０３ａは受光素子２０２ａによって検知される。すなわち、透過光の強度を検知することで光がモニターされる。
【００３０】
また、入射光が符号１０２に相当し、出射光が符号１０１に相当する場合には、入射光１０２は先球光ファイバ１２から出射され、１％の透過率を有する一部透過反射膜２０４により９９％が反射され、先球光ファイバ１１に結合され、出射光１０１となる。一部透過反射膜２０４を透過した１％の透過光１０３ｂは受光素子２０２ｂによって検知され、光がモニターされる。このように、それぞれの光ファイバからの入射光は独立した受光素子２０２ａ、２０２ｂのいずれかによりモニターされる。したがって、光の伝搬方向をもモニターできる。図３の構成で、受光素子２０２ａと受光素子２０２ｂは共通の枠体に支持されている。枠体からケース２２の外に突出させる端子の数は４本である。
【００３１】
図３では独立した受光素子をそれぞれ配置していたが、２個以上の受光素子をアレイ化した構成を用いることもできる。すなわち、図３において、受光素子２０２ａ及び２０２ｂを、図４に示すアレイ化した受光素子に置換することができる。図４は、本発明の他の実施例に係る光モニターを説明するための一部拡大図である。受光素子の作製工程のフォトリソグラフィーにより、同一基板上に素子をアレー化させた物を用いる。この場合、図４に示すように受光素子２０２ａ、２０２ｂ、２０２ｃ、２０２ｄの４個のアレイ化された素子のうち、両端の２０２ａと２０２ｄのみを用いることで、フォトリソグラフィーの位置精度で正確に受光素子を配置することができる。容易に光軸との位置決めができる。受光素子２０２ａに照射された透過光のビームスポットを観察したところ、直径８０μｍのスポットが受光素子２０２ａのみに照射された。同様に、受光素子２０２ｄに照射されたビームスポットは直径８０μｍとなり、隣接した素子にはかぶっていない。
【００３２】
（実施例４）
図５は本発明に適用する光モニターの一実施例に係る概略図である。実施例２の光モニターをＮ個並べて一つのパッケージにおさめたものであり、Ｎチャンネルの光モニターを構成している。３番目から（Ｎ−１）番目の光モニターは図示を省略して、点線で示した。
実施例３及び４で述べたように、本発明の光モニターは光パワーを低損失でモニターすると共に、光の入射方向をもモニターできる光モニターとして実現された。
【００３３】
【発明の効果】
本発明の光モニターを用いることで、光通信システムや光パワー伝送システムにおける光パワーの監視に用いられる光モニターとして、従来の光モニターに比べて低損失で実現できた。更には、光の伝送方向もモニターが可能となる光モニターを実現することができた。
【図面の簡単な説明】
【図１】本発明の一実施例の光モニターの概略図である。
【図２】本発明の一実施例の光システムの概略図である。
【図３】本発明の他の一実施例の光モニターの概略図である。
【図４】本発明の光モニターを説明するための一部拡大図である。
【図５】本発明の他の一実施例の光モニターの概略図である。
【図６】従来の光モニターを説明するための概略図である。
【図７】従来の光モニターを説明するための断面図である。
【図８】従来の光モニターを説明するための断面図である。
【符号の説明】
１１，１２　先球光ファイバ、　２２　ケース、
１０１　入射光、　１０２　出射光、　１０３　透過光、
１０３ａ　透過光、　１０３ｂ　透過光、　１００　入力された光、
１０１ａ，１０１ｂ　入射光、
１０２ａ，１０２ｂ　出射光、
１５０　光スイッチ、
１６０ａ，１６０ｂ　光モニター、
１７０　駆動回路、　１７１　制御回路、　１８０　光路切替装置、
２０１　光合分波器、　２０４　一部透過反射膜、
２０４ｂ　一部透過反射膜、
２０２　受光素子、　２０２ａ　受光素子、
２０２ｂ，２０２ｃ，２０２ｄ　受光素子、
２０３，２０３ａ，２０３ｂ　ＧＲＩＮレンズ、
２０５　フェルール
【図１】
2004062144.tif 000003
【図２】
2004062144.tif 000004
【図３】
2004062144.tif 000005
【図４】
2004062144.tif 000006
【図５】
2004062144.tif 000007
【図６】
2004062144.tif 000008
【図７】
2004062144.tif 000009
【図８】
2004062144.tif 000010